(57)【要約】【課題】  複数回の撮影を行って撮影画像を合成する場合に、複数の画像の位置合わせを精度よく行うことができるようにする。【解決手段】  本発明に係るデジタルカメラによれば、１回目の撮影を行って撮影画像を取得する際に撮影画像内に第１のマーカ画像を付加し、１回目の撮影により取得された撮影画像内における背景画像の特定点と第１のマーカ画像との距離を算出し、２回目の撮影において取得しようとする画像内において背景画像の特定点からの距離が算出された距離と同一になる位置に第２のマーカ画像を付加し、第１のマーカ画像を含む撮影画像及び第２の撮影により撮影しようとする第２のマーカ画像を含む画像を表示画面上に表示するとともに、第１のマーカ画像の位置と第２の撮影により撮影しようとする画像の第２のマーカ画像の位置が一致するか否かを判断し、一致する場合に、その旨をブザー音により通知する。【選択図】図３
2006174353.tif 000002
【特許請求の範囲】
【請求項１】
撮影しようとする画像を表示するための表示画面に、少なくとも２画面に分割した画面を表示し、一方の画面に被写体を配置して第１の撮影を行い、続いて他方の画面に異なる被写体を配置して第２の撮影を行い、前記第１の撮影及び前記第２の撮影により取得された撮影画像を合成して合成画像を生成する撮影装置において、
前記第１の撮影を行って撮影画像を取得する際に前記撮影画像内に第１のマーカ画像を付加する第１のマーカ画像付加手段と、
前記第１の撮影により取得された撮影画像内における背景画像の特定点と前記第１のマーカ画像との距離を算出し、前記第２の撮影において取得しようとする画像内において前記背景画像の特定点からの距離が前記算出された距離と同一になる位置に第２のマーカ画像を付加する第２のマーカ画像付加手段と、
前記第１のマーカ画像を含む撮影画像及び前記第２の撮影により撮影しようとする前記第２のマーカ画像を含む画像を前記表示画面上に表示する表示手段と、
前記第１の撮影により取得された撮影画像における第１のマーカ画像の位置と前記第２の撮影により撮影しようとする画像の第２のマーカ画像の位置が一致するか否かを判断する判断手段と、
前記判断手段による判断の結果、前記第１マーカ画像の位置と前記第２のマーカ画像の位置が一致すると判断された際に、その旨を通知する通知手段と、
を備えたことを特徴とする撮影装置。
【請求項２】
第１の撮影を行って撮影画像を取得する際の画像の明るさに基づいて、前記第１のマーカ画像及び前記第２のマーカ画像の表示色を決定するマーカ表示色決定手段を備えたことを特徴とする請求項１に記載の撮影装置。
【請求項３】
前記撮影装置の筐体の傾斜状態を検出して検出情報を出力する傾斜センサを備え、
前記傾斜センサからの検出情報に基づいて前記撮影装置の向きを判断し、前記判断された撮影装置の向きに応じて前記表示画面を少なくとも２画面に分割する画面分割手段を備えたことを特徴とする請求項１又は２に記載の撮影装置。
【請求項４】
前記表示画面を少なくとも２画面に分割する際の分割比率を設定する分割比率設定手段を備え、
前記画面分割手段は、前記設定された分割比率に基づいた比率で前記表示画面を少なくとも２画面に分割することを特徴とする請求項３に記載の撮影装置。
【請求項５】
前記分割した画面のうち、前記第１の撮影において被写体が配置される画面及び前記第２の撮影において被写体が配置される画面が予め設定されており、
前記第１の撮影及び前記第２の撮影のそれぞれにおいて、前記被写体が配置されることとして予め設定されている画面内に焦点が合うようにレンズを移動させるフォーカス制御手段を備えたことを特徴とする請求項１〜４の何れか一項に記載の撮影装置。
【請求項６】
前記撮影装置の前方の、前記表示画面の分割位置に対応する位置にレーザビームを照射するレーザ照射手段を備えたことを特徴とする請求項１〜５の何れか一項に記載の撮影装置。
【請求項７】
撮影しようとする画像を表示するための表示画面に、少なくとも２画面に分割した画面を表示し、一方の画面に被写体を配置して第１の撮影を行い、続いて他方の画面に異なる被写体を配置して第２の撮影を行い、前記第１の撮影及び前記第２の撮影により取得された撮影画像を合成して合成画像を生成する撮影装置を制御するためのコンピュータに、
前記第１の撮影を行って撮影画像を取得する際に前記撮影画像内に第１のマーカ画像を付加する機能と、
前記第１の撮影により取得された撮影画像内における背景画像の特定点と前記第１のマーカ画像との距離を算出し、前記第２の撮影において取得しようとする画像内において前記背景画像の特定点からの距離が前記算出された距離と同一になる位置に第２のマーカ画像を付加する機能と、
前記第１のマーカ画像を含む撮影画像及び前記第２の撮影により撮影しようとする前記第２のマーカ画像を含む画像を前記表示画面上に表示する機能と、
前記第１の撮影により取得された撮影画像における第１のマーカ画像の位置と前記第２の撮影により撮影しようとする画像の第２のマーカ画像の位置が一致するか否かを判断する機能と、
前記判断手段による判断の結果、前記第１マーカ画像の位置と前記第２のマーカ画像の位置が一致すると判断された際に、その旨を通知する機能と、
を実現させるためのプログラム。
【発明の詳細な説明】
【技術分野】
【０００１】
本発明は、撮影された画像を合成する機能を備えた撮影装置及びプログラムに関する。
【背景技術】
【０００２】
従来、人に撮影を頼みづらい場合や近辺に人がいない場合でも簡単にツーショット画像を得ることができるようにするために、１回目の撮影画像と２回目の撮影画像を合成する技術が知られている（例えば、特許文献１参照）。
【特許文献１】特開２００３−１８９１６０号公報
【発明の開示】
【発明が解決しようとする課題】
【０００３】
しかしながら、２回目の撮影を行う際には、撮影者はＬＣＤ装置に表示された１回目の撮影画像と２回目の撮影画像の背景の重なり具合を見ながら１回目の撮影画像の被写体と２回目に撮影する被写体とが並ぶように、また、１回目の撮影画像の背景と２回目に撮影する背景とが略一致するようにカメラアングルを調整していたため、背景がずれてしまったり、被写体が重なってしまったり、逆に離れすぎてしまったりし、違和感のある撮影結果になってしまうケースが多かった。
【０００４】
本発明の課題は、複数回の撮影を行って撮影画像を合成する場合に、複数の画像の位置合わせを精度よく行うことができるようにすることである。
【課題を解決するための手段】
【０００５】
上記課題を解決するため、請求項１に記載の発明は、
撮影しようとする画像を表示するための表示画面に、少なくとも２画面に分割した画面を表示し、一方の画面に被写体を配置して第１の撮影を行い、続いて他方の画面に異なる被写体を配置して第２の撮影を行い、前記第１の撮影及び前記第２の撮影により取得された撮影画像を合成して合成画像を生成する撮影装置において、
前記第１の撮影を行って撮影画像を取得する際に前記撮影画像内に第１のマーカ画像を付加する第１のマーカ画像付加手段と、
前記第１の撮影により取得された撮影画像内における背景画像の特定点と前記第１のマーカ画像との距離を算出し、前記第２の撮影において取得しようとする画像内において前記背景画像の特定点からの距離が前記算出された距離と同一になる位置に第２のマーカ画像を付加する第２のマーカ画像付加手段と、
前記第１のマーカ画像を含む撮影画像及び前記第２の撮影により撮影しようとする前記第２のマーカ画像を含む画像を前記表示画面上に表示する表示手段と、
前記第１の撮影により取得された撮影画像における第１のマーカ画像の位置と前記第２の撮影により撮影しようとする画像の第２のマーカ画像の位置が一致するか否かを判断する判断手段と、
前記判断手段による判断の結果、前記第１マーカ画像の位置と前記第２のマーカ画像の位置が一致すると判断された際に、その旨を通知する通知手段と、
を備えたことを特徴としている。
【０００６】
請求項７に記載の発明のプログラムは、
撮影しようとする画像を表示するための表示画面に、少なくとも２画面に分割した画面を表示し、一方の画面に被写体を配置して第１の撮影を行い、続いて他方の画面に異なる被写体を配置して第２の撮影を行い、前記第１の撮影及び前記第２の撮影により取得された撮影画像を合成して合成画像を生成する撮影装置を制御するためのコンピュータに、
前記第１の撮影を行って撮影画像を取得する際に前記撮影画像内に第１のマーカ画像を付加する機能と、
前記第１の撮影により取得された撮影画像内における背景画像の特定点と前記第１のマーカ画像との距離を算出し、前記第２の撮影において取得しようとする画像内において前記背景画像の特定点からの距離が前記算出された距離と同一になる位置に第２のマーカ画像を付加する機能と、
前記第１のマーカ画像を含む撮影画像及び前記第２の撮影により撮影しようとする前記第２のマーカ画像を含む画像を前記表示画面上に表示する機能と、
前記第１の撮影により取得された撮影画像における第１のマーカ画像の位置と前記第２の撮影により撮影しようとする画像の第２のマーカ画像の位置が一致するか否かを判断する機能と、
前記判断手段による判断の結果、前記第１マーカ画像の位置と前記第２のマーカ画像の位置が一致すると判断された際に、その旨を通知する機能と、
を実現させることを特徴としている。
【発明の効果】
【０００７】
請求項１、７に記載の発明によれば、撮影しようとする画像を表示するための表示画面に、少なくとも２画面に分割した画面を表示し、一方の画面に被写体を配置して第１の撮影を行い、続いて他方の画面に異なる被写体を配置して第２の撮影を行い、第１の撮影及び第２の撮影により取得された撮影画像を合成して合成画像を生成する撮影装置において、第１の撮影を行って撮影画像を取得する際に撮影画像内に第１のマーカ画像を付加し、第１の撮影により取得された撮影画像内における背景画像の特定点と第１のマーカ画像との距離を算出し、第２の撮影において取得しようとする画像内において背景画像の特定点からの距離が算出された距離と同一になる位置に第２のマーカ画像を付加し、第１のマーカ画像を含む撮影画像及び第２の撮影により撮影しようとする第２のマーカ画像を含む画像を表示画面上に表示する。また、第１の撮影により取得された撮影画像における第１のマーカ画像の位置と第２の撮影により撮影しようとする画像の第２のマーカ画像の位置が一致するか否かを判断し、判断の結果、第１マーカ画像の位置と第２のマーカ画像の位置が一致すると判断された際に、その旨を通知する。
【０００８】
従って、第１の撮影で撮影された撮影画像に対して第２の撮影で撮影しようとしている画像の位置にずれが生じているか否かをマーカ画像の位置により撮影者が容易に認識することができ、２つのマーカ画像を合わせることで、２枚の画像の位置合わせを容易行うことが可能となる。また、第１及び第２のマーカ画像が一致したか否かを自動的に判断し、一致した場合にはその旨が通知されるので、第２の撮影で撮影しようとする画像の背景の位置と第１の撮影画像と背景の位置が一致した時点での撮影を実施することが容易となり、精度良く位置合わせされた合成画像を得ることが可能となる。
【０００９】
請求項２に記載の発明によれば、第１の撮影を行って撮影画像を取得する際の画像の明るさに基づいて、第１のマーカ画像及び第２のマーカ画像の表示色を決定するので、撮影しようとする画像の背景が明るい場合には黒いマーカ画像を、暗い場合には白いマーカ画像を表示することで、撮影者が見やすいマーカ画像を表示することが可能となる。
【００１０】
請求項３に記載の発明によれば、撮影装置の筐体の傾斜状態を検出して検出情報を出力する傾斜センサを備え、傾斜センサからの検出情報に基づいて撮影装置の向きを判断し、判断された撮影装置の向きに応じて表示画面を少なくとも２画面に分割するので、撮影装置を横向き（表示画面を横長にする向き）に構えても、撮影装置を縦向きに構えても、合成画像を生成することが可能となる。
【００１１】
請求項４に記載の発明によれば、表示画面を少なくとも２画面に分割する際の分割比率を設定する分割比率設定手段を備え、設定された分割比率に基づいた比率で表示画面を少なくとも２画面に分割することができるので、撮影人数に応じて、被写体をバランス良く配置した合成画像を得ることが可能となる。
【００１２】
請求項５に記載の発明によれば、第１の撮影及び第２の撮影のそれぞれにおいて、被写体が配置されることとして予め設定されている画面内に焦点が合うようにレンズを移動させるので、第１の撮影及び第２の撮影の双方の被写体に焦点を合わせることが可能となる。
【００１３】
請求項６に記載の発明によれば、撮影装置の前方の、画面の分割位置に対応する位置にレーザを照射するので、被写体は自分の立ち位置を知ることが可能となり、被写体をバランス良く配置した合成画像を得ることが可能となる。
【発明を実施するための最良の形態】
【００１４】
以下、図を参照して本発明の実施形態を詳細に説明する。
まず、構成を説明する。
【００１５】
図１は、デジタルカメラ１０の機能的構成を示すブロック図である。図１に示すように、デジタルカメラ１０は、ＣＰＵ１１、入力部１２、ＲＡＭ１３、伝送制御部１４、表示部１５、撮像部１６、記録部１７、記録媒体駆動部１８、レーザ照射部１９、ブザー２０、傾斜センサ２１等を備えて構成されており、各部はバス２２により接続されている。
【００１６】
ＣＰＵ１１は、記録部１７に記憶されているシステムプログラムを読み出し、ＲＡＭ１３内に形成されたワークエリアに展開し、該システムプログラムに従って各部を制御する。また、ＣＰＵ１１は、記録部１７に記憶されているツーショット撮影モード処理プログラムを始めとする各種処理プログラムを読み出してワークエリアに展開し、後述するツーショット撮影モード処理（図３参照）を始めとする各種処理を実行する。
【００１７】
入力部１２は、電源スイッチ、シャッタースイッチ、撮影に関する各種設定スイッチ及びカーソルスイッチ等を備え、その各スイッチ操作に応じた操作信号をＣＰＵ１１に出力する。
【００１８】
ＲＡＭ１３は、ＣＰＵ１１によって実行される各種プログラム及びこれらプログラムに係るデータを一時的に記憶するワークエリアを形成する。
【００１９】
伝送制御部１４は、通信用ケーブル等により外部の電子機器、例えば、パーソナルコンピュータ等と接続され、画像データ等の送受信を制御する。なお、外部機器との接続は、赤外線や無線等の無線接続であってもよい。
【００２０】
表示部１５は、ＬＣＤ（Liquid Crystal Display）等のモニタにより構成され、ＣＰＵ１１から入力される表示信号の指示に従って、撮影しようとする画像及び撮影された撮影画像等を表示画面（液晶ファインダ）上に表示する。
【００２１】
図２は、撮像部１６の詳細構成を示す図である。ここで、図２を参照して撮像部１６について説明する。
レンズ（撮像レンズ）２１を通過した被写体像は絞り機構２２を介してＣＣＤ（Charge Coupled Diode）２３上に結像される。レンズ２１及び絞り機構２２は、光学系駆動部２４によって、焦点合わせのためにレンズ位置が移動され、また、適切な露出となるように絞り量が制御される。このレンズ２１の移動や絞り機構２２の絞りは、測距センサや光量センサを含むセンサ部２５によって検出された検出値がバス２２を介してＣＰＵ１１に出力され、ＣＰＵ１１で検出値に基づいて演算されたレンズ２１の移動量や絞り機構２２の絞り量を示す信号が光学系駆動部２４に出力されることによって駆動がなされるものである。
【００２２】
ＣＣＤ２３に被写体が結像されると、ＣＣＤ２３には入射光量に応じた電荷が蓄積され、この電荷は駆動回路２６から与えられる駆動パルス信号によって順次読み出され、アナログ処理回路２７に出力される。アナログ処理回路２７は、色分離やゲイン調整、ホワイトバランスなどの各種処理が行われ、処理された信号はＡ／Ｄ変換回路２８を介してデジタル画像データ（以下、画像データと称する）としてバッファレジスタ２９に記憶される。
【００２３】
バッファレジスタ２９に記憶された画像データは、ＣＰＵ１１からの制御信号に基づいて、信号処理回路３０において輝度信号及び色差信号に変換され、表示部１５に表示される。また、信号処理回路３０において処理された画像データは、ＣＰＵ１１からの制御信号に基づいて、圧縮伸張回路３１において圧縮されバス２２を介して図１に示す記録部１７の撮影画像記録領域１７１もしくは記録媒体１８ａに記録される。
【００２４】
図１に戻り、記録部１７は、フラッシュメモリなどの不揮発メモリ等により構成され、デジタルカメラ１０に対応するシステムプログラム、及び該システムプログラム上で実行可能なツーショット撮影モード処理プログラムを始めとする各種処理プログラム、アプリケーションプログラム及びこれらのプログラムで処理されたデータ等を記録する。
【００２５】
この記録部１７は、撮影された画像データを記録するための、撮影画像記録領域１７１を有する。
【００２６】
記録媒体駆動部１８は、装着された記録媒体１８ａに対してデータを記録したり、既に記録されているデータを読み出して再生したりするための駆動回路である。装着される記録媒体１８ａとしては、スマートメディア（登録商標）、メモリースティック（登録商標）、コンパクトフラッシュ（登録商標）、ＳＤカード、ＰＣカード、ＩＣカード、ＭＯ（magneto-optic）等の各種カードが用いることができ、これらの各種カードの何れか又は複数のカードに応じた記録媒体駆動部１８が設けられている。
【００２７】
レーザ照射部１９は、デジタルカメラ１０の前方から視野内の適当な位置や場所（例えば、被写体人物の足元の地面等）にレーザビームを照射し、その照射位置に目視可能な目安マークを形成するためのものである。レーザ照射部１９に照射されるレーザビームは、デジタルカメラ１０の表示画面を左右２画面に分割し、各画面にそれぞれ異なる人物を配置して合成画像を撮影する場合、画面の分割位置（画面分割線（図４（ａ）（ｂ）参照））に該当する位置や場所に、被写体の立ち位置の目安となる目視可能な目安マークを形成するレーザポインタとして機能する（図６参照）。
レーザ照射部１９は、第１レーザ部１９ａ及び第２レーザ部１９ｂの二つの照射部を有しており、デジタルカメラ１０の前面（レンズ２１側）に設けられている。
第１レーザ部１９ａは、デジタルカメラ１０を横向きに構えた場合に、レーザビームの光軸Ｌ１が下方（例えば、地面側）に指向するように所定の俯角を持ってレーザビームを投射するように設定されている（図７参照）。横向きとは、通常撮影時の姿勢でデジタルカメラ１０を構えた時の表示画面が横長になる向きである。レーザビームの光軸Ｌ１を下方に指向させる理由は、誤ってレーザビームを人物の眼に照射しないようにするためである。
第２レーザ部１９ｂは、デジタルカメラ１０を縦向きに構えた場合に、レーザビームの光軸が下方（例えば、地面側）に指向するように所定の俯角を持ってレーザビームを投射するように設定されている。縦向きとは、撮影時に表示画面が縦長になる向きである。
第１レーザ部１９ａ又は第２レーザ部１９ｂのいずれを駆動するかは、デジタルカメラ１０の傾斜状態（横向き又は縦向き）を検出し、その傾斜状態に応じてＣＰＵ１１からの指示により制御される。
【００２８】
ブザー２０は、ＣＰＵ１１からの指示に応じて鳴音する。
傾斜センサ２１は、デジタルカメラ１０の筐体の傾斜状態を検出した検出情報として、デジタルカメラ１０の筐体の傾斜状態に応じて出力電圧をＣＰＵ１１に出力する第１傾斜センサ２１ａ及び第２傾斜センサ２１ｂを備えて構成される。
第１傾斜センサ２１ａは、本発明における傾斜センサに対応するものであり、デジタルカメラ１０の筐体の傾斜状態を検出し、その傾斜状態に応じてデジタルカメラ１０の表示画面を図４（ａ）（ｂ）の何れかの方法で左右２画面に分割させるとともに、表示画面の分割方法に応じて第１レーザ部１９ａ又は第２レーザ部１９ｂを駆動させるためのものである。ここにいうデジタルカメラ１０の筐体の傾斜状態とは、図４（ａ）（ｂ）に示すように、表示画面の向きに対応し、表示画面が横向きであるか又は縦向きであるかの状態を指す。第１傾斜センサ２１ａは、デジタルカメラ１０が図４（ａ）に示すように表示画面を横向きにした状態であるとき傾斜角度０度であることを示す電圧を出力し、デジタルカメラ１０が図４（ｂ）に示すように表示画面を縦向きにした状態であるとき傾斜角度９０度であることを示す電圧を出力する。
第２傾斜センサ２１ｂは、デジタルカメラ１０の筐体の傾斜状態を検出し、その傾斜状態に対応して変化するレーザビームの照射方向に応じてレーザビームの照射を禁止するためのものである。ここにいう、デジタルカメラ１０の筐体の傾斜状態とは、図７に示すように、デジタルカメラ１０の光学軸Ｌ２と水平面とのなす角度に対応する。
すなわち、レーザビームの照射方向は、デジタルカメラ１０の光学軸Ｌ２を被写体人物に合わせたとき、レーザビームが当該被写体人物の足元の地面等に当るように、換言すれば、レーザビームの光軸Ｌ１がデジタルカメラ１０の光学軸Ｌ２に対して所定の俯角をなすように予め設定されている。従って、仮に撮影者がデジタルカメラ１０の向きを上向き（デジタルカメラ１０の光学軸Ｌ２を上向き（水平面に対して仰角となる向き））に動かした場合、これに連動してレーザビームの光軸Ｌ１が上向きに移動し、被写体に向けてレーザビームが照射されて危険である。そこで、所定に仰角範囲に入った場合、レーザビームの照射を停止させることになる。この制御はＣＰＵ１１からの指示により行われる。
【００２９】
次に、本実施の形態の動作について説明する。
図３は、デジタルカメラ１０のＣＰＵ１１により実行されるツーショット撮影モード処理を示すフローチャートである。当該処理は、ＣＰＵ１１と記録部１７に記憶されているツーショット撮影モードプログラムとの協働によるソフトウエア処理により実現される処理である。
【００３０】
このツーショット撮影モード処理は、撮影しようとする画像を表示するための表示画面（液晶ファインダ）を少なくとも２画面（ここでは、左右２画面とする）に分割し、一方の画面（ここでは、左画面とする）に被写体を配置して１回目の撮影（第１の撮影）を行い、続いて他方の画面（ここでは、右画面とする）に異なる被写体を配置して２回目の撮影（第２の撮影）を行い、１回目の撮影及び２回目の撮影により取得された撮影画像データを合成して１枚の合成画像を生成するものである。
【００３１】
まず、撮影しようとする画像を表示するための表示画面を左右２画面に分割するための画面分割処理が実行される（ステップＳ１：画面分割手段）。画面分割処理は、デジタルカメラ１０が構えられた向きに応じて表示画面を図４（ａ）又は図４（ｂ）に示す何れかの方法で左右２画面に分割する。
【００３２】
図５は、デジタルカメラ１０のＣＰＵ１１により実行される画面分割処理を示すフローチャートである。当該処理は、ＣＰＵ１１と記録部１７に記憶されている画面分割処理プログラムとの協働によるソフトウエア処理により実現される処理である。
【００３３】
まず、第１傾斜センサ２１ａが起動され（ステップＴ１）、第１傾斜センサ２１ａによりデジタルカメラ１０の傾斜角度が０±α度（αは誤差）以下であることを示す電圧が出力されると（ステップＴ２；ＹＥＳ）、図４（ａ）に示す分割線Ｄ１で表示画面の下端面を垂直に２等分するように表示画面が左右２画面に分割され（ステップＴ３）、処理は図３のステップＳ２に移行する。一方、第１傾斜センサ２１ａによりデジタルカメラ１０の傾斜角度が９０±α度（αは誤差）以下であることを示す電圧が出力されると（ステップＴ２；ＮＯ、ステップＴ４；ＹＥＳ）、図４（ｂ）に示す分割線Ｄ２で表示画面の下端面を垂直に２等分するように表示画面が左右２画面に分割され（ステップＴ５）、処理は図３のステップＳ２に移行する。
【００３４】
図３のステップＳ２においては、レーザ照射部１９からレーザが照射される。
このレーザは、図６に示すように、デジタルカメラ１０前方の視野内の、ステップＳ１において分割された左右２画面の分割位置に対応する位置（被写体人物の足元の地面等）に照射されるものであり、被写体に立ち位置を示す目安マークとなる。ステップＳ１において、第１傾斜センサ２１ａによりデジタルカメラ１０の傾斜角度が０±α度（αは誤差）以下であることを示す電圧が出力され、表示画面が図４（ａ）に示すように分割されたとき、第１レーザ照射部１９ａからレーザが照射される。ステップＳ１において、第１傾斜センサ２１ａによりデジタルカメラ１０の傾斜角度が９０±α度（αは誤差）以下であることを示す電圧が出力され、表示画面が図４（ｂ）に示すように分割されたとき、第２レーザ照射部１９ｂからレーザが照射される。
但し、レーザを人に向けるのは危険なため、図７に示すように第２傾斜センサ２１ｂからデジタルカメラ１０の光学軸Ｌ２が水平面に対して設定角度以上の仰角範囲となったことが検出された場合は、ＣＰＵ１１により、レーザ照射部１９に強制的に発光を停止させ安全性を確保する。
【００３５】
次いで、撮像部１６において、画像データの取り込みが行われる（ステップＳ３）。即ち、ＣＣＤ２３において、レンズ２１及び絞り機構２２を透過して結像された被写体光が光電変換されて電荷が蓄積され、駆動回路２６から与えられる駆動パルス信号によって蓄積された電荷が順次読み出される。読み出された電荷は、アナログ回路２７及びＡ／Ｄ変換器２８を介して画像データに変換され、バッファレジスタ２９に取り込まれる。そして、取り込まれた画像データに基づき図８に示すマーカ表示色決定処理が実行される（ステップＳ４：マーカ表示色決定手段）。
【００３６】
図８は、デジタルカメラ１０のＣＰＵ１１により実行されるマーカ表示色決定処理を示すフローチャートである。当該処理は、ＣＰＵ１１と記録部１７に記憶されているマーカ表示色決定処理プログラムとの協働によるソフトウエア処理により実現される処理である。
【００３７】
まず、撮像部１６により取り込まれた画像データがＲＡＭ１３に読み出され、当該画像データの信号値（輝度値）の平均値が算出され（ステップＴ１１）、算出された平均値が予め設定された基準値以上である場合は（ステップＴ１２；ＹＥＳ）、マーカ表示色が黒に決定され（ステップＴ１３）、処理は図３のステップＳ５に移行する。算出された平均値が予め設定された基準値を超えない場合は（ステップＴ１２；ＮＯ）、マーカ表示色が白に決定され（ステップＴ１４）、処理は図３のステップＳ５に移行する。
【００３８】
図３のステップＳ５においては、ステップＳ４で決定された表示色でＲＡＭ１３に読み出された画像データに第１のマーカ画像Ｍａ１、Ｍｂ１が付加され、表示部１５の表示画面上に表示される（第１のマーカ画像付加手段）。
【００３９】
図９（ａ）は、ＣＣＤ２３の撮像面を模式的に示す図である。ＣＣＤの撮像面は、複数の画素（ここでは２５６の画素）が配列されて構成されている。このＣＣＤ２３を構成する各画素の位置は、図９（ａ）に示すアドレスにより識別するものとする。また、撮像部１６により取り込まれる１枚の画像データは、ＣＣＤ２３の各画素の示す情報からなっており、画像データにおける各画素の位置についても、同様のアドレスで識別することとする。
【００４０】
図９（ａ）において、グレーで示す領域は、合成に使用する撮影画像として抽出される領域である。マーカ画像は、１回目の撮影と２回目の撮影における背景の位置合わせの指標として表示するもので、１回目の撮影においては、撮影画像として抽出される領域外の隅（ここでは、左上と右下の各５画素（アドレスＡ１、Ａ２、Ａ３、Ｂ１、Ｃ１及びアドレスＮ１６、Ｏ１６、Ｐ１４、Ｐ１５、Ｐ１６）が第１のマーカ画像Ｍａ１、Ｍｂ１の表示位置とされる。マーカの表示色は、図９（ｂ）に示すように背景が明るい場合には黒（低輝度）で、図９（ｃ）に示すように背景が暗い場合には白（高輝度）で表示される。
【００４１】
図１０（ａ）は、１回目の撮影時の表示画面（液晶ファインダ）の表示例を示すものである。表示画面（液晶ファインダ）には、撮影画像として抽出される領域、即ち、図９（ａ）のグレーで示す領域だけでなく、ＣＣＤ２３により取り込まれる全画像が表示される。１回目の撮影においては、左右に２分割された画面の左側に被写体が配置されて表示される。画面左上及び右下には、１回目の撮影と２回目の撮影における位置合わせのための第１のマーカ画像Ｍａ１及びＭｂ１が表示されている。
【００４２】
図３のステップＳ５において、表示画面上に第１のマーカ画像Ｍａ１及びＭｂ１が表示されると、撮影者によるシャッタースイッチの押下が待機される。シャッタースイッチが半押しされると（ステップＳ６；ＹＥＳ）、センサ部１５からの検出値に応じて露出条件（シャッタースピード及び絞り量）が決定されるとともに（ステップＳ７）、第１のフォーカス制御が実行され、ＣＣＤ２３の左画面内における所定の領域に焦点が合うようにレンズが移動される（ステップＳ８：フォーカス制御手段）。
【００４３】
ここで、ツーショット撮影モードではない通常の撮影においては、ＣＣＤ２３の中央部に焦点が合うようにフォーカスが制御されるが、ツーショット撮影モードにおいては、２回の撮影のそれぞれにおいて、分割された左右の画面の何れかに被写体像が配置されることになる。そのため、左画面に被写体を配置する１回目の撮影では、左画面内に予め設定された第１の焦点エリアＲ１（例えば、図１１（ａ）に示す、分割線より若干左側中央部のグレーで示す領域）に焦点が合うように、右画面に被写体を配置する２回目の撮影では、右画面内に予め設定された第２の焦点エリアＲ２（例えば、図１１（ｂ）に示す、分割線より若干右側中央部のグレーで示す領域）に焦点が合うように、フォーカスが制御される。具体的には、第１のフォーカス制御においては、レンズ２１を移動させながらＣＣＤ２３が出力する画像信号の第１の焦点エリアのコントラストを検出し、そのコントラストが最も大きくなる位置にレンズ位置が移動される。
【００４４】
第１のフォーカス制御が終了し、シャッタースイッチが全押しされると（ステップＳ９；ＹＥＳ）、撮像部１６により、ステップＳ７で決定された露出条件で１回目の撮影が行われ、ＲＡＭ１３に第１の撮影画像が格納されるとともに、表示部１５の表示画面上に表示される（ステップＳ１０）。
【００４５】
１回目の撮影が終了すると、被写体及び撮影者が交代され、撮像部１６において、２回目の撮影で撮影しようとする画像データの取り込みが行われ（ステップＳ１１）、取り込まれた画像データがＲＡＭ１３に読み出され、当該画像データに付加される第２のマーカ画像Ｍａ２、Ｍｂ２の位置が決定され、決定された位置にステップＳ４で決定された表示色で第２のマーカ画像Ｍａ２、Ｍｂ２が付加される（ステップＳ１２：第２のマーカ画像付加手段）。
【００４６】
２回目の撮影で撮影しようとする画像データにおいて、１回目の撮影で撮影された画像データにおける第１のマーカ画像Ｍａ１、Ｍｂ１が付加されている背景画像部分と一致する背景画像部分を示す画素位置に第２のマーカ画像Ｍａ２、Ｍｂ２を付加して表示し、撮影者が第１のマーカ画像Ｍａ１、Ｍｂ１と第２のマーカ画像Ｍａ２、Ｍｂ２とを合わせるようにして２回目の撮影を行うことで、１回目の撮影画像と２回目の撮影画像の背景を容易に、精度良く位置合わせすることが可能となる。そこで、ステップＳ１２においては、第１のマーカ画像Ｍａ１、Ｍｂ１が表示されている背景画像部分と一致する背景画像部分を示す画素位置に第２のマーカ画像Ｍａ２、Ｍｂ２を付加する位置が決定される。具体的には、１回目の撮影画像内における背景画像の一部を赤/緑/青の３色に分解し、さらに３色のうちどれか１色を選択してこれを白黒に２値化し、エッジを検出し、その検出したエッジの特定点（例えば山の稜線や建物の一部など目立つ点）を基準位置として定め、そこから第１のマーカ画像Ｍａ１、Ｍｂ１までの距離（画素数）を算出する。そして、ステップＳ１１で取り込まれた画像データ内において、１回目の撮影画像内の特定点に対応する特定点を抽出し、そこからの距離が１回目の特定点から第１のマーカ画像Ｍａ１、Ｍｂ１までの距離と同一になる位置に、第２のマーカ画像Ｍａ２、Ｍｂ２の位置が決定される。なお、１回目の撮影画像と２回目の撮影で撮影しようとする画像の位置のずれ量によっては第２マーカ画像Ｍａ２、Ｍｂ２の何れかの位置が画像データの領域外にはみだす位置となる場合があるが、この場合においても算出された特定点からの距離により第２マーカ画像Ｍａ２、Ｍｂ２の位置は管理されている。
【００４７】
ステップＳ１２において第２のマーカ画像Ｍａ２、Ｍｂ２が付加されると、この第２のマーカ画像Ｍａ２、Ｍｂ２を含む画像が１回目の撮影で取得された第１のマーカ画像Ｍａ１、Ｍｂ１を含む撮影画像とともに表示される（ステップＳ１３）。また、１回目に撮影された撮影画像における第１のマーカ画像Ｍａ１、Ｍｂ１の位置とステップＳ１１で取り込まれた２回目に撮影しようとする画像における第２のマーカ画像Ｍａ２、Ｍｂ２の位置が一致するか否かが判断され（ステップＳ１４：判断手段）、一致したと判断されると（ステップＳ１４；ＹＥＳ）、ブザー２０によりブザーが鳴音される（ステップＳ１５：通知手段）。
このブザー２０は、１回目の撮影画像における第１のマーカ画像の位置と、撮像部１６により取り込まれた２回目に撮影しようとする画像における第２のマーカ画像の位置が一致したことを撮影者に通知するためのものである。
【００４８】
図１０（ｂ）は、２回目の撮影時の表示画面（液晶ファインダ）の表示例を示すものである。図１０（ｂ）に示すように、２回目の撮影においては、１回目の撮影で得られた撮影画像及び第１のマーカ画像Ｍａ１、Ｍｂ１が表示画面上に表示されるとともに、ステップＳ１１において撮像部１６により取り込まれた撮影しようとする画像が第２のマーカ画像Ｍａ２、Ｍｂ２が付加された状態で表示される。図１０（ｂ）においては、２回目に撮影しようとする画像の背景が１回目の撮影画像に対してわずかに上方にずれている。そのため、第２のマーカ画像Ｍａ２は、一部が画像領域外となり、一部が第１のマーカ画像Ｍａ１に重なった状態で表示されている。第２のマーカ画像Ｍｂ２は第１のマーカ画像Ｍｂ１に対して背景のずれと同じ分だけ上方にずれて表示されている。この第１のマーカ画像Ｍａ１、Ｍｂ１及び第２のマーカ画像Ｍａ２、Ｍｂ２の位置により、１回目の撮影画像に対して、これから撮影しようとしている画像の位置にずれが生じているか否かを撮影者が容易に認識できる。また、撮影者は、第１及び第２のマーカ画像を合わせることで、２枚の画像の位置合わせを容易行うことが可能となる。更に、第１及び第２のマーカ画像の位置が一致したか否かを自動的に判断し、一致した場合にはブザー２０が鳴音されるので、２回目の撮影において、１回目の画像と背景の位置が一致した時点での撮影が容易となり、精度良く位置合わせされた画像を得ることが可能となる。
【００４９】
ブザー２０のブザー音に応じてシャッタースイッチが半押しされると（ステップＳ１６）、第２のフォーカス制御が行われる（ステップＳ１８：フォーカス制御手段）。即ち、上述の第２の焦点エリアＲ２に焦点が合うように、フォーカスが制御される。具体的にはレンズ２１を移動させながらＣＣＤ２３が出力する画像信号の第２の焦点エリアＲ２のコントラストを検出し、そのコントラストが最も大きくなる位置にレンズ位置が移動される。
【００５０】
第２のフォーカス制御が終了し、シャッタースイッチが全押しされると（ステップＳ１８；ＹＥＳ）、撮像部１６により、ステップＳ７で決定された露出条件で２回目の撮影が行われ、ＲＡＭ１３に第２の撮影画像が格納される（ステップＳ１９）。そして、１回目及び２回目の撮影画像からそれぞれ合成に使用される領域（１回目の撮影においては図９（ａ）のグレーで示す領域の左半分の領域、２回目の撮影においては図９（ａ）のグレーで示す領域の右半分の領域）が抽出されて合成画像が生成され（ステップＳ２０）、生成された合成画像が撮影画像記録領域１７１に記録され（ステップＳ２１）、本処理は終了する。図１０（ｃ）は、本処理により得られた合成画像の一例を示す図である。図１０（ｃ）に示すように、背景にずれのないツーショット画像を得ることができる。
【００５１】
（変形例）
上記実施の形態においては、２回の撮影を行ってツーショット画像を得る場合を例にとり説明したが、上記ツーショット撮影モードの機能は、大人数の撮影に利用することも可能である。しかしながら、大人数で撮影する場合、画面を左：右＝１：１に分割するのでは被写体の配置が偏った画像になってしまう。そこで、デジタルカメラ１０において、左右２画面の分割の比率を設定する手段を備えるようにすることが好ましい。例えば、左右の画面の分割メニューを複数（例えば、９０：１０、８０：２０、７０：３０・・・）用意しておき、上述の画面分割処理において、分割比率設定手段としての入力部１２から設定入力された（選択された）分割メニューに基づく割合で、表示部１５の表示画面を左右に分割する。これにより、画面分割比率が可変となり、撮影人数に応じて、被写体をバランス良く配置することが可能となる。
【００５２】
以上説明したように、デジタルカメラ１０によれば、撮影しようとする画像を表示するための表示画面に、少なくとも２画面に分割した画面を表示し、各画面に異なる被写体を配置して２回の撮影を行い、２回の撮影により取得された撮影画像を合成して合成画像を生成するツーショット撮影モードにおいて、下記の処理を行う。
【００５３】
即ち、１回目の撮影を行って撮影画像を取得する際に撮影画像内に第１のマーカ画像を付加し、１回目の撮影により取得された撮影画像内における背景画像の特定点と第１のマーカ画像との距離を算出し、２回目の撮影において取得しようとする画像内において背景画像の特定点からの距離が算出された距離と同一になる位置に第２のマーカ画像を付加し、第１のマーカ画像を含む撮影画像及び第２の撮影により撮影しようとする第２のマーカ画像を含む画像を表示画面上に表示する。また、第１の撮影により取得された撮影画像における第１のマーカ画像の位置と第２の撮影により撮影しようとする画像の第２のマーカ画像の位置が一致するか否かを判断し、一致すると判断された際に、その旨をブザー音により通知する。
【００５４】
従って、１回目の撮影画像に対してこれから撮影しようとしている画像の位置にずれが生じているか否かをマーカ画像の位置により撮影者が容易に認識することができ、２つのマーカ画像を合わせることで、２枚の画像の位置合わせを容易行うことが可能となる。また、第１のマーカ画像及び第２のマーカ画像が一致したか否かを自動的に判断し、一致した場合にはブザー２０が鳴音されるので、２回目で撮影しようとする画像の背景の位置と１回目の撮影画像の背景の位置が一致した時点で撮影を実施することが容易となり、精度良く位置合わせされた合成画像を得ることが可能となる。
【００５５】
また、第１のマーカ画像と第２のマーカ画像の表示色を、１回目の撮影を行って撮影画像を取得する際の画像の信号値（輝度値）、即ち、撮影時の画像の明るさに基づいて決定するので、撮影しようとする画像の背景が明るい場合には黒いマーカ画像を、暗い場合には白いマーカ画像を表示することで、撮影者が見やすいマーカ画像を表示することが可能となる。
【００５６】
また、第１傾斜センサ２１ａからの検出情報に基づいて撮影装置の向きを判断し、判断された撮影装置の向きに応じて表示画面を左右２画面に分割するので、撮影装置を横向き（表示画面を横長にする向き）に構えてツーショット画像を撮影することも、撮影装置を縦向きに構えてツーショット画像を撮影することも可能となる。
【００５７】
また、入力部１２により設定された分割比率に基づいた比率で表示画面を左右２画面に分割するので、撮影人数に応じて、被写体をバランス良く配置した合成画像を得ることが可能となる。
【００５８】
また、１回目の撮影及び２回目の撮影のそれぞれにおいて、被写体が配置されることとして予め設定されている画面内に焦点が合うようにレンズを移動させるフォーカス制御を行うので、左右両方の被写体に焦点を合わせることが可能となる。
【００５９】
また、レーザ照射部１９により、デジタルカメラ１０の前方の、左右２画面の分割位置に対応する位置にレーザを照射するので、被写体は自分の立ち位置を知ることが可能となり、被写体をバランス良く配置した合成画像を得ることが可能となる。
【００６０】
なお、上記実施の形態における記述内容は、本発明に係るデジタルカメラ１０の好適な一例であり、これに限定されるものではない。
【００６１】
例えば、上記実施の形態においては、第１のマーカ画像と第２のマーカ画像が一致した際にブザー音により撮影者に通知することとしたが、これに限定されず、例えば、「２枚の画像が一致しました」等の音声メッセージ等により通知を行うこととしてもよい。また、表示画面近傍にＬＥＤ（Light Emitting Diode）を設け、このＬＥＤを点灯させることにより第１のマーカ画像と第２のマーカ画像が一致したことを撮影者に通知することとしてもよい。
【００６２】
また、上記実施の形態においては、第１のマーカ画像と第２のマーカ画像の色を同じにすることとしたが、個別の色で表示することとしてもよい。図１０（ｂ）に示したように、１回目の撮影画像と２回目の撮影で撮影しようとする画像の位置のずれ量によっては第２のマーカ画像Ｍａ２、Ｍｂ２の何れかが表示画面の領域外にはみだす位置となったり、第１のマーカ画像Ｍａ１、Ｍｂ１と重なったりする場合がある。第１のマーカ画像と第２のマーカ画像が重なった場合、第１のマーカ画像と第２のマーカ画像が同じ色であると重なった部分が見にくくなってしまうが、第１のマーカ画像と第２のマーカ画像の色を別の色とすることにより、重なる部分についてもみやすく表示することが可能となる。例えば、第１のマーカ画像の色を上述のとおり黒又は白とし、第２のマーカ画像の色を、画像データの信号値（輝度値）の平均値が基準値以上の場合については赤（低輝度）、基準値を超えない場合についてはピンク（高輝度）として、第１のマーカ画像の上に第２のマーカ画像を表示するようにすれば、第１のマーカ画像と第２のマーカ画像の重なった部分を見やすく表示することが可能となる。
【００６３】
また、１回目の撮影画像及び２回目に撮影しようとする画像を縮小して表示画面（液晶ファインダ）上に表示してもよい。これにより、第２のマーカ画像が画像領域からはみだす場合であっても、特定点からの距離に基づいて第２のマーカ画像を表示画面上に表示することが可能となる。
【００６４】
また、上述の画面分割を左右２画面としているが、さらに何れか一方を第１の撮影により取得された撮影画像として、３画像目を撮影するようにしても良く、さらに、複数の撮影画面を上述と同様に撮影して合成してもよい。
さらに、表示画面全体を複数画面に分割して表示しているが、表示部の一部の領域を複数画面に分割した画面として表示しても良い。
また、表示画面全体を上下２画面に分割した画面を表示しても良く、この場合も表示画面全体を上下２画面に、さらに複数画面に分割して表示しても良いし、表示部の一部の領域を複数画面に分割した画面として表示しても良い。
【００６５】
その他、デジタルカメラ１０の細部構成及び細部動作に関しても、本発明の趣旨を逸脱することのない範囲で適宜変更可能である。
【図面の簡単な説明】
【００６６】
【図１】本発明に係るデジタルカメラ１０の機能的構成を示すブロック図である。
【図２】図１の撮像部１６の詳細構成を示す図である。
【図３】図１のＣＰＵ１１により実行されるツーショット撮影モード処理を示すフローチャートである。
【図４】（ａ）はデジタルカメラ１０の筐体を横向きにして撮影する際の表示画面の分割する方法を示す図であり、（ｂ）はデジタルカメラ０の筐体を縦向きにして撮影する際の表示画面の分割方法を示す図である。
【図５】図１のＣＰＵ１１により実行される画面分割処理を示すフローチャートである。
【図６】レーザ照射部１９により照射されるレーザ位置を説明するための図である。
【図７】レーザ照射部１９により照射されるレーザの向きを説明するための図である。
【図８】図１のＣＰＵ１１により実行されるマーカ表示色決定処理を示すフローチャートである。
【図９】（ａ）図２のＣＣＤ２３の撮像面を模式的に示す図、（ｂ）（ｃ）は、画像データの明るさとマーカ画像の表示色の関係を模式的に示す図である。
【図１０】（ａ）は一回目の撮影時の表示画面（液晶ファインダ）の表示例、（ｂ）は２回目の撮影を行おうとする際の表示画面（液晶ファインダ）の表示例、（ｃ）は、１回目及び２回目の撮影画像を合成した合成画像の表示例を示す図である。
【図１１】（ａ）は第１の焦点エリアを模式的に示す図、（ｂ）は第２の焦点エリアを模式的に示す図である。
【符号の説明】
【００６７】
１０  デジタルカメラ
１１  ＣＰＵ
１２  入力部
１３  ＲＡＭ
１４  伝送制御部
１５  表示部
１６  撮像部
１７  記録部
１７１  撮像画像記録領域
１８  記録媒体駆動部
１８ａ  記録媒体
１９  レーザ照射部
１９ａ  第１レーザ部
１９ｂ  第２レーザ部
２０  ブザー
２１  傾斜センサ
２１ａ  第１の傾斜センサ
２１ｂ  第２の傾斜センサ
２２  バス
２１  レンズ
２２  絞り機構
２３  ＣＣＤ
２４  光学系駆動部
２５  センサ部
２６  駆動回路
２７  アナログ処理回路
２８  Ａ／Ｄ変換回路
２９  バッファレジスタ
３０  信号処理回路
３１  圧縮伸張回路
【図１】
2006174353.tif 000003
【図２】
2006174353.tif 000004
【図３】
2006174353.tif 000005
【図４】
2006174353.tif 000006
【図５】
2006174353.tif 000007
【図６】
2006174353.tif 000008
【図７】
2006174353.tif 000009
【図８】
2006174353.tif 000010
【図９】
2006174353.tif 000011
【図１０】
2006174353.tif 000012
【図１１】
2006174353.tif 000013